(57)【要約】【課題】使用者の頭部形状の差異にかかわらず、頭部に対するアジャストバンドの当接力をほぼ一定として長時間にわたってストレスなく装着できるようにし、しかも伸縮手段の構成を大幅に簡素化する。【解決手段】ヘッドホンドライバを内蔵した左右一対のヘッドホンユニット１２０と、各ヘッドホンユニット１２０を両端で支持し、使用者の頭部に沿って配置されるほぼ逆Ｕ字状に形成されたヘッドバンド１１０と、使用者の頭頂部に当接するようにヘッドバンド１１０の内側に配置された状態で、ヘッドバンド１１０の両端もしくは各ヘッドホンユニット１２０の所定位置に設けられている支持部材１５０の間に掛け渡され、少なくとも一部分に伸縮手段を含むアジャストバンド１３０とを備えているヘッドホンにおいて、伸縮手段に定荷重ぜんまい１４０を用いる。【選択図】図３
2007336429.tif 000002
【特許請求の範囲】
【請求項１】
ヘッドホンドライバを内蔵した左右一対のヘッドホンユニットと、上記各ヘッドホンユニットを両端で支持し、使用者の頭部に沿って配置されるほぼ逆Ｕ字状に形成されたヘッドバンドと、上記使用者の頭頂部に当接するように上記ヘッドバンドの内側に配置された状態で、上記ヘッドバンドの両端もしくは上記各ヘッドホンユニットの所定位置に設けられている支持部材の間に掛け渡され、少なくとも一部分に伸縮手段を含むアジャストバンドとを備えているヘッドホンにおいて、
上記伸縮手段に、定荷重ぜんまいが用いられていることを特徴とするヘッドホン。
【請求項２】
上記定荷重ぜんまいの巻き基端部側が上記支持部材に回転可能に支持され、引出側の端部が上記アジャストバンドの端部に固定されている請求項１に記載のヘッドホン。
【請求項３】
上記定荷重ぜんまいの巻き基端部側が上記アジャストバンドの端部に回転可能に支持され、引出側の端部が上記支持部材に固定されている請求項１に記載のヘッドホン。
【請求項４】
上記定荷重ぜんまいは両端に巻き基端部を備え、その各巻き基端部が上記各支持部材に回転可能に支持されている請求項１に記載のヘッドホン。
【請求項５】
上記定荷重ぜんまいの巻き基端部側がラジアルベアリングを介して回転可能に支持されている請求項２ないし４のいずれか１項に記載のヘッドホン。
【発明の詳細な説明】
【技術分野】
【０００１】
本発明は、ヘッドホンユニットを支持するヘッドバンドの内側にアジャスト機構としてのアジャストバンドを有するヘッドホンに関し、さらに詳しく言えば、使用者の頭部形状の差異にかかわらず、頭部に対するアジャストバンドの当接力をほぼ一定として、長時間にわたってストレスなく装着できるヘッドホンに関するものである。
【背景技術】
【０００２】
図１０に示すように、ヘッドバンド式のヘッドホン１０は、基本的な構成として、使用者の頭部に沿って配置されるほぼ逆Ｕ字状のヘッドバンド１１を備え、ヘッドバンド１１の両端でヘッドホンドライバを内蔵した左右一対のヘッドホンユニット１２，１２を支持している。
【０００３】
ヘッドバンド１１には、弾性を有する板材もしくは線材が用いられ、その両端間の幅が一般成人の平均的な頭部幅よりも狭くなるように所定の曲率をもってほぼ逆Ｕ字状に形成される。ヘッドホン１０を使用するにあたって、使用者はヘッドバンド１１を図１０において左右方向に押し広げ、ヘッドホンユニット１２，１２を耳介に当接させて装着する。
【０００４】
このようにして、ヘッドホン１０を装着する際、ヘッドバンド１１は曲率半径が大きくなるように湾曲変形されるため、ヘッドバンド１１には当初の曲率半径を回復する方向に付勢力が発生し、これによりヘッドホンユニット１２，１２に側圧が与えられる。
【０００５】
ヘッドバンド１１は、一般成人の平均的な頭部幅を基準にして設計されるが、装着感を優先して耳介に最適な付勢力を持つように設計すると、ヘッドホンユニット１２，１２が耳介からずれ落ちてしまうことがある。これに対して、装着の確実性を優先して側圧が大きくなるように設計すると、長時間使用時に使用者に苦痛を与えることがある。
【０００６】
そこで、耳介に対する最適な付勢力とずれ落ち防止とを両立させるため、図１１に模式的に示すようなアジャスト機構を備えたヘッドホン２０が提案され、実際に多くの機種が市販されている。
【０００７】
この種のヘッドホン２０では、ヘッドバンド１１の内側にアジャスト機構としてのアジャストバンド２１を備える。アジャストバンド２１は、ヘッドホン２０の自重を使用者の頭頂部で支持するようにヘッドホンユニット１２，１２の間（もしくはヘッドバンド１１の両端間）に掛け渡される。
【０００８】
また、アジャストバンド２１には、耳介に対するヘッドホンユニット１２，１２の位置を調整可能とするための伸縮手段が設けられるが、この例では、アジャストバンド２１の両端に伸縮手段２２，２２が配置されている。なお、伸縮手段２２には大別して、摩擦摺動によるものと、バネ材やゴム材によるものとがあるが、操作および調整の容易さからしてバネ材やゴム材によるものが多用されている。
【０００９】
このヘッドホン２０によれば、アジャストバンド２１によりヘッドホンの自重が支持されるため、ずれ落ちの問題を気にすることなく、耳介に与える付勢力（側圧）を最適に設定することができる。
【００１０】
また、伸縮手段２２，２２によりヘッドホンユニット１２，１２の位置を微調整することができるため、耳介に対して良好にフィットさせることができる。このようなアジャスト機構を備えたヘッドホンは、例えば特許文献１や特許文献２に記載されている。
【００１１】
【特許文献１】特開平７−４６６８４号公報
【特許文献２】特開平１０−２３５８６号公報
【発明の開示】
【発明が解決しようとする課題】
【００１２】
しかしながら、人の頭部形状（ここでは、耳介から頭頂部までの距離をいう）には、かなりのばらつきが存在する。図１２（ａ）に耳介から頭頂部までの距離が平均よりも短い人，図１２（ｂ）に平均的な頭部形状を持つ人，図１２（ｃ）に耳介から頭頂部までの距離が平均よりも長い人の図をそれぞれ模式的に示す。
【００１３】
アジャストバンド２１は、通常、伸縮手段２２を含めて図１２（ｂ）に平均的な頭部形状を持つ人を基準にして設計される。上記したように、伸縮手段２２には、コイルバネやクランク状の屈曲バネもしくはゴム材などが用いられる。
【００１４】
伸縮手段２２は、ヘッドホンユニット１２，１２が耳介にジャストフィットする位置で、ヘッドホン２０の自重がアジャストバンド２１を介して平均的な頭部形状を持つ人の頭頂部にて適切に支持されるように基準長さが決められ、その基準長さをＸｂとする。
【００１５】
このように設計されたヘッドホン２０を図１２（ａ）の耳介から頭頂部までの距離が平均よりも短い人が装着してヘッドホンユニット１２，１２を耳介にあてがうと、伸縮手段２２の長さは基準長さＸｂより短く縮められた長さＸａとなる。したがって、アジャストバンド２１が使用者の頭頂部から浮きぎみとなり、装着が不安定となる。
【００１６】
また、上記ヘッドホン２０を図１２（ｃ）の耳介から頭頂部までの距離が平均よりも長い人が装着してヘッドホンユニット１２，１２を耳介にあてがうと、伸縮手段２２の長さは基準長さＸｂより長く引き延ばされた長さＸｃとなる。そのため、使用者の頭頂部にはバネが引き延ばされた分の圧力が余計に加えられることになり、好ましくない。
【００１７】
他方、伸縮手段の構造的な面について言えば、特許文献１に記載の発明では複雑なバネ材とその周辺部材を必要とし、また、特許文献２に記載の発明ではラックとピニオンからなる連動機構によっているため、総じて部品点数が多くコストアップにならざるを得ないという問題がある。
【００１８】
したがって、本発明の課題は、ヘッドホンユニットを支持するヘッドバンドの内側にアジャスト機構としてのアジャストバンドを有するヘッドホンにおいて、使用者の頭部形状の差異にかかわらず、頭部に対するアジャストバンドの当接力をほぼ一定として、長時間にわたってストレスなく装着でき、しかも伸縮手段の構成を大幅に簡素化し得るヘッドホンを提供することにある。
【課題を解決するための手段】
【００１９】
上記課題を解決するため、本発明は、請求項１に記載されているように、ヘッドホンドライバを内蔵した左右一対のヘッドホンユニットと、上記各ヘッドホンユニットを両端で支持し、使用者の頭部に沿って配置されるほぼ逆Ｕ字状に形成されたヘッドバンドと、上記使用者の頭頂部に当接するように上記ヘッドバンドの内側に配置された状態で、上記ヘッドバンドの両端もしくは上記各ヘッドホンユニットの所定位置に設けられている支持部材の間に掛け渡され、少なくとも一部分に伸縮手段を含むアジャストバンドとを備えているヘッドホンにおいて、上記伸縮手段に、定荷重ぜんまいが用いられていることを特徴としている。
【００２０】
この場合、請求項２に記載されているように、上記定荷重ぜんまいの巻き基端部側が上記支持部材に回転可能に支持され、引出側の端部が上記アジャストバンドの端部に固定されてもよいし、請求項３に記載されているように、上記定荷重ぜんまいの巻き基端部側が上記アジャストバンドの端部に回転可能に支持され、引出側の端部が上記支持部材に固定されてもよい。
【００２１】
また、本発明には、上記定荷重ぜんまいが、上記支持部材の間にわたって掛け渡されている態様も含まれるが、この場合、請求項４に記載されているように、上記定荷重ぜんまいは両端に巻き基端部を備え、その各巻き基端部が上記各支持部材に回転可能に支持されることになる。
【００２２】
また、上記定荷重ぜんまいの巻き基端部側を上記支持部材および／または上記アジャストバンドに回転可能に支持させる際、その回転を円滑にするため、請求項５に記載されているように、上記定荷重ぜんまいの巻き基端部側をラジアルベアリングを介して回転可能に支持させることが好ましい。
【発明の効果】
【００２３】
定荷重ぜんまいは、ストリップ状のバネ板材を渦巻き状にきつく巻回してなる薄板バネの一種で、中心軸となる円筒軸に巻き基端部を回転可能に取り付けた状態で、自由端側を引き出すと、その引き出し量がある一定の初期値を超えた時点から引き出し量に関係なく一定の引き出し荷重（定荷重）を示す特性を有している。
【００２４】
本発明では、このような特性を有する定荷重ぜんまいを装着調整バンドの伸縮手段に適用したことにより、使用者の頭部形状の差異にかかわらず、頭部に対するアジャストバンドの当接力をほぼ一定とすることができ、また、伸縮手段の構成を大幅に簡素化することができる。
【発明を実施するための最良の形態】
【００２５】
次に、図面を参照して本発明の実施形態について説明するが、本発明はこれに限定されるものではない。図１は本発明のヘッドホンの一例を示す斜視図，図２はその正面図，図３は分解斜視図である。
【００２６】
これによると、このヘッドホン１００は、頭部装着手段として、使用者の頭頂部に沿って配置されるように所定の曲率をもってほぼ逆Ｕ字状（Ｃ字状ともいう）に形成されたヘッドバンド１１０を備え、その両端で左右一対のヘッドホンユニット１２０，１２０を支持している。
【００２７】
この例において、ヘッドバンド１１０の端部にヘッドホンユニット１２０が直結されているが、ヘッドバンド１１０の端部に図示しない例えば自在継ぎ手状のハンガーを介してヘッドホンユニット１２０を支持するようにしてもよい。また、ヘッドバンド１１０が１本の金属製丸棒材により形成されているが、金属や合成樹脂の弾性を有する帯板を用いてもよい。
【００２８】
いずれにしても、ヘッドバンド１１０は、平均的な頭部幅を基準として良好な付勢力が発揮されるように、その曲率半径や材質，さらには構造などを考慮して設計されることが好ましい。なお、ヘッドバンド１１０を使用者の後頭部に配置されるように設計することもできる。
【００２９】
ヘッドホンユニット１２０は、図示しないヘッドホンドライバ（電気音響変換器）を内蔵する有底円筒状のハウジング１２１を有し、ハウジング１２１の放音面側には例えばスポンジ材からなるイヤーパッド１２２が設けられている。
【００３０】
このヘッドホン１００は、ヘッドホンユニット１２０の耳介に対する最適な付勢力とずれ落ち防止とを両立させるため、ヘッドバンド１１０の内側にアジャスト機構としてのアジャストバンド１３０を備える。
【００３１】
アジャストバンド１３０は、ヘッドホン１００の自重を使用者の頭頂部で支持するようにヘッドホンユニット１２０，１２０の間もしくはヘッドバンド１１０の両端間に掛け渡されるが、この例では、ヘッドホンユニット１２０，１２０の間に掛け渡されている。
【００３２】
また、アジャストバンド１３０には、耳介に対するヘッドホンユニット１２０，１２０の位置を調整可能とするための伸縮手段が設けられるが、本発明において、伸縮手段には定荷重ぜんまい１４０が用いられ、この例では、アジャストバンド１３０の両端に伸縮手段としての定荷重ぜんまい１４０，１４０が設けられる。
【００３３】
定荷重ぜんまい１４０をアジャストバンド１３０の端部とヘッドホンユニット１２０との間に配置するにあたって、この例では、ヘッドホンユニット１２０のハウジング１２１側に定荷重ぜんまい１４０の支持部材１５０が設けられる。
【００３４】
図３に示すように、支持部材１５０は、ハウジング１２１に差し込まれる垂直軸１５１ａと、その上端からほぼ直角に折り曲げられた水平軸１５１ｂとを有するＬ字状の支持軸１５１を備え、この支持軸１５１の水平軸１５１ｂに好ましくはラジアルベアリング１５２を介して定荷重ぜんまい１４０の巻き基端部１４１が回転可能に支持される。定荷重ぜんまい１４０の自由端である引出側の端部１４２は、アジャストバンド１３０の端部に固定される。
【００３５】
変形例として、アジャストバンド１３０側に支持軸１５１を設けて定荷重ぜんまい１４０の巻き基端部１４１を回転可能に支持し、引出側の端部１４２をヘッドホンユニット１２０側もしくはヘッドバンド１１０の端部側に固定してもよい。また、支持軸１５１をヘッドバンド１１０の端部側に設けて、ヘッドバンド１１０とアジャストバンド１３０との間に定荷重ぜんまい１４０を連結してもよい。
【００３６】
次に、図４ないし図６により、定荷重ぜんまい１４０の基本的な形態と、その特性について説明する。図４（ａ）に示すように、定荷重ぜんまい１４０は、バネ板材を渦巻き状にきつく巻回し、焼き入れなどを施して形成した薄板バネの一種である。
【００３７】
図４（ｂ）に示すように、定荷重ぜんまい１４０の巻き基端部１４１の中心孔に支持軸１５１を挿通し、定荷重ぜんまい１４０を回転させながら、その引出側の端部１４２を図５（ａ）〜（ｅ）のように引き出すと、そのときの引き出し量Ｘと引き出し荷重Ｆとの間には、図６のグラフに示すような関係が存在する。
【００３８】
すなわち、引き出し量Ｘがある一定の初期値Ｘ０を超えると、それ以降はバネが存在する限り、引き出し量Ｘに関係なく荷重Ｆ＝Ｆ０となる関係を有している。図６のグラフを併せて参照して、図５（ｂ）は引き出し量がＸ０で、その時点で荷重Ｆが一定値Ｆ０に到達した状態を示している。図５（ｃ）〜（ｅ）は引き出し量が順次大きく、Ｘ１，Ｘ２，Ｘ３となった状態で、この場合においても、それぞれの荷重Ｆは一定荷重値Ｆ０になっている状態を示している。
【００３９】
定荷重ぜんまい１４０の定荷重値Ｆ０、また、定荷重値Ｆ０が得られる引き出し量Ｘ０の値は、使用する材料，形状、すなわち図４（ａ）（ｂ）に示す板厚ｔ，幅ｂ，内径Ｒ１，外径Ｒ２および材料の物理的性質である縦弾性係数によって定められる。
【００４０】
次に、本発明の作用を図７および図８により説明する。図７（ａ）〜（ｃ）は先に説明した図１２の（ａ）〜（ｃ）に対応しており、図７（ａ）は耳介から頭頂部までの距離が平均よりも短い人，図７（ｂ）は平均的な頭部形状を持つ人，図７（ｃ）は耳介から頭頂部までの距離が平均よりも長い人の図をそれぞれ示す模式図である。
【００４１】
図７（ｂ）に示すように、平均的な頭部形状を持つ人が上記ヘッドホン１００を装着したときの定荷重ぜんまい１４０の引出量をＸｂ，図７（ａ）に示す耳介から頭頂部までの距離が平均よりも短い人が上記ヘッドホン１００を装着したときの定荷重ぜんまい１４０の引出量をＸａ，図７（ｃ）に示す耳介から頭頂部までの距離が平均よりも長い人が上記ヘッドホン１００を装着したときの定荷重ぜんまい１４０の引出量をＸｃとすると、
Ｘａ＜Ｘｂ＜Ｘｃ
となる。
【００４２】
このように、使用者の頭部形状（耳介から頭頂部までの距離）によって定荷重ぜんまい１４０の引出量Ｘが異なるが、もっとも短い引出量Ｘ１の場合でも定荷重が得られるように定荷重ぜんまい１４０を設計することにより、いずれの引出量Ｘａ，Ｘｂ，Ｘｃの場合でも、図８に示すように一定の付勢力Ｆ０を得ることができる。
【００４３】
したがって、本発明によれば、使用者の頭部形状の差異にかかわらず、頭部に対するアジャストバンド１３０の当接力をほぼ一定とすることができ、ヘッドホンユニット１２０，１２０を耳介に対してジャストフィットさせた状態で長時間にわたってストレスなく装着することが可能となる。また、定荷重ぜんまい１４０は、特に巻き取り装置を必要としないため、伸縮手段の構成を大幅に簡素化することができる。
【００４４】
別の実施形態として、図９に示すように、両端に巻き基端部１４１，１４１を有する定荷重ぜんまい１４０ａを用いることもできる。
【００４５】
この場合には、巻き基端部１４１，１４１をヘッドホンユニット１２０，１２０（もしくはヘッドバンド１１０の両端）に設けられる支持軸１５１，１５１に好ましくはラジアルベアリング１５２，１５２を介して回転可能に支持させ、巻き基端部１４１，１４１間の引出部１４２ａを使用者の頭頂部に沿って掛け渡し、引出部１４２ａにアジャストバンド１３０を取り付ければよい。
【図面の簡単な説明】
【００４６】
【図１】本発明のヘッドホンの一例を示す斜視図。
【図２】上記ヘッドホンの正面図。
【図３】上記ヘッドホンの解斜視図。
【図４】（ａ）（ｂ）定荷重ぜんまいの基本的な形態を示す斜視図。
【図５】（ａ）〜（ｅ）定荷重ぜんまいの引出量と特性を示す説明図。
【図６】定荷重ぜんまいの引出量対荷重特性を示すグラフ。
【図７】（ａ）〜（ｃ）本発明の作用を説明するための模式図。
【図８】図７（ａ）〜（ｃ）での定荷重ぜんまいの引出量対荷重特性を示すグラフ。
【図９】本発明の別の実施形態を示す模式的な正面図。
【図１０】従来のヘッドバンド式ヘッドホンを示す模式的な正面図。
【図１１】従来のアジャストバンドを有するヘッドホンを示す模式的な正面図。
【図１２】（ａ）〜（ｃ）図１１のヘッドホンの装着状態を示す模式的な正面図。
【符号の説明】
【００４７】
１００  ヘッドホン
１１０  ヘッドバンド
１２０  ヘッドホンユニット
１３０  アジャストバンド
１４０，１４０ａ  定荷重ぜんまい（伸縮手段）
１４１  巻き基端部
１４２  引出側の端部
１４２ａ  引出部
１５０  支持部材
１５１  支持軸
１５２  ラジアルベアリング
【図１】
2007336429.tif 000003
【図２】
2007336429.tif 000004
【図３】
2007336429.tif 000005
【図４】
2007336429.tif 000006
【図５】
2007336429.tif 000007
【図６】
2007336429.tif 000008
【図７】
2007336429.tif 000009
【図８】
2007336429.tif 000010
【図９】
2007336429.tif 000011
【図１０】
2007336429.tif 000012
【図１１】
2007336429.tif 000013
【図１２】
2007336429.tif 000014